(57)【要約】【課題】情報機器側が電力を多く使用するものとならないため情報機器側の使用電力を削減することができ、システムの使用継続時間を大幅に増やすことが可能となるとともに、外部カードアダプタ、インターネット電話音声端末、ＰＨＳ電話音声端末、及びＰＨＳ回線モデムターミナルとして多様に機能可能なハンドセット装置の提供。【解決手段】ワイヤレスハンドセット１１０は、Ｂｌｕｅｔｏｏｔｈモジュール１２１を有するとともに機能拡張カードであるＣＦ−ＰＨＳカード１３０が装着されることにより、Ｂｌｕｅｔｏｏｔｈモジュール１２１によって情報機器と通信可能であるとともにＣＦ−ＰＨＳカード１３０によってＰＨＳ公衆通信回線へ接続可能になされている。【選択図】      図１
2004248240.tif 000002
【特許請求の範囲】
【請求項１】
スピーカーとマイクロフォンを有し音声通話が可能になされたハンドセット装置であって、
情報機器との間で通信可能な通信手段と、
機能拡張カードを挿入および接続可能な機能拡張カードスロット部と、
挿入した機能拡張カードを制御する機能拡張カード制御手段と、
当該ハンドセット装置及び前記機能拡張カードに電力を供給する電源部と
を有することを特徴とするハンドセット装置。
【請求項２】
特定の電話局番を指定可能なダイヤル手段を有することを特徴とする請求項１に記載のハンドセット装置。
【請求項３】
前記機能拡張カードが、ＰＨＳカードであることを特徴とする請求項１又は２に記載のハンドセット装置。
【請求項４】
前記通信手段が、Ｂｌｕｅｔｏｏｔｈプロトコルによる無線通信手段であることを特徴とする請求項１又は２又は３に記載のハンドセット装置。
【請求項５】
前記機能拡張カードのインターフェース規格が、ＣＦＩ／Ｏカード規格であることを特徴とする請求項１又は２又は３又は４に記載のハンドセット装置。
【請求項６】
前記機能拡張カードのインターフェース規格が、ＳＤＩ／Ｏカード規格であることを特徴とする請求項１又は２又は３又は４に記載のハンドセット装置。
【請求項７】
前記機能拡張カードのインターフェース規格が、メモリースティックＩ／Ｏカード規格であることを特徴とする請求項１又は２又は３又は４に記載のハンドセット装置。
【請求項８】
前記ＰＨＳカードを装着することにより、単独で公衆電話回線による音声通話が可能であることを特徴とする請求項３又は４又は５又は６又は７に記載のハンドセット装置。
【請求項９】
前記通信手段によって情報機器との通信を行うことにより、前記情報機器が他の情報機器と行うインターネット電話における音声端末として機能することを特徴とする請求項１又は２又は３又は４又は５又は６又は７又は８に記載のハンドセット装置。
【請求項１０】
前記ＰＨＳカードを装着するとともに、前記通信手段によって情報機器との通信を行うことにより、前記情報機器に無線モデム機能の付加を可能にすべくなしたことを特徴とする請求項３又は４又は５又は６又は７又は８又は９に記載のハンドセット装置。
【請求項１１】
前記電源部には、取り替え可能な１つ又は複数のバッテリーを接続することを特徴とする請求項１又は２又は３又は４又は５又は６又は７又は８又は９又は１０に記載のハンドセット装置。
【請求項１２】
前記電源部は、外部ＡＣ電源から電力を得ることが可能になされていることを特徴とする請求項１１に記載のハンドセット装置。
【請求項１３】
前記電源部は、外部ＡＣ電源から得た電力を蓄えることができることを特徴とする請求項１２に記載のハンドセット装置。
【請求項１４】
前記バッテリー又は前記外部ＡＣ電源より蓄えた電力の残量を表示する電池残量表示手段を有することを特徴とする１１又は１２又は１３に記載のハンドセット装置。
【発明の詳細な説明】
【０００１】
【発明の属する技術分野】
本発明は、スピーカーとマイクロフォンを有しており音声通話が可能になされたハンドセット装置に関する。
【０００２】
【従来の技術】
従来、他の機器との無線通信を行う無線通信機能を有するＰＣカードと、このＰＣカードが着脱自在に装着されるＰＣカードスロットとを有し、上記ＰＣカードの上記無線通信機能により他の機器との間で無線通信を行う情報機器が開示されている（特許文献１参照）。この情報機器においては、携帯型情報機器をカバンなどに収容したままでその携帯型情報機器の無線通信機能を利用して音声通信を実行できるようにして、データおよび音声の双方の通信に好適な情報装置及びＰＣカードを提供することを目的としている。
【特許文献１】特開２０００−３２４５５７
【０００３】
【発明が解決しようとする課題】
しかしながら、そのような情報機器では、基地局へ接続する移動体通信は情報機器側の電力を用いて行っている。この場合に、ＰＨＳ端末には電力を多く使用するタイプのものがあり、その使用電力をＰＤＡなどのＰＤＡ自体から供給することは、保持電力が少なく、コード接続により外部ＡＣ電源を供給することが適切でないこれらＰＤＡにとっては、使用継続時間の点において大きな課題となることが想定される。
【０００４】
そこで本発明は、情報機器とは別個の電源部を有するハンドセット装置に、機能拡張カードスロットを設けて機能拡張カードの装着を可能とすることにより、情報機器側が電力を多く使用するものとならないため情報機器側の使用電力を削減することができ、システムの使用継続時間を大幅に増やすことが可能となるとともに、外部カードアダプタ、インターネット電話音声端末と多様に機能することができ、またＰＨＳカードを装着した場合にあっては、さらにＰＨＳ電話音声端末、及びＰＨＳ回線モデムターミナルとして多様に機能可能なハンドセット装置を提供することを目的とする。
【０００５】
【課題を解決するための手段】
本発明は、前記問題点を解決するために創作されたものであって、第１には、スピーカーとマイクロフォンを有し音声通話が可能になされたハンドセット装置であって、情報機器との間で通信可能な通信手段と、機能拡張カードを挿入および接続可能な機能拡張カードスロット部と、挿入した機能拡張カードを制御する機能拡張カード制御手段と、当該ハンドセット装置及び前記機能拡張カードに電力を供給する電源部とを有することを特徴とする。
【０００６】
この第１の構成のハンドセット装置においては、スピーカーとマイクロフォンを有し音声通話が可能になされたハンドセット装置であって、情報機器との間で通信可能な通信手段と、機能拡張カードを挿入および接続可能な機能拡張カードスロット部と、挿入した機能拡張カードを制御する機能拡張カード制御手段と、当該ハンドセット装置及び前記機能拡張カードに電力を供給する電源部とを有しているため、情報機器側が電力を多く使用するものとならないため情報機器側の使用電力を削減することができ、システムの使用継続時間を大幅に増やすことが可能となるとともに、外部カードアダプタ、インターネット電話音声端末として多様に機能可能なハンドセット装置とすることができる。
【０００７】
また、第２には、前記第１の構成のハンドセット装置において、特定の電話局番を指定可能なダイヤル手段を有することを特徴とする。
【０００８】
この第２の構成のハンドセット装置においては、特定の電話局番を指定可能なダイヤル手段を有しているため、特定の電話局番を容易に指定して発信することが可能となる。
【０００９】
また、第３には、前記第１又は２の構成のハンドセット装置において、前記機能拡張カードが、ＰＨＳカードであることを特徴とする。
【００１０】
この第３の構成のハンドセット装置においては、前記機能拡張カードが、ＰＨＳカードであるため、さらにＰＨＳ電話音声端末、及びＰＨＳ回線モデムターミナルとして機能することが可能になる。また、現状では、モバイルで通信環境を構築する為には、携帯電話の他に通信カードの契約をしなければならないが、本構成によるハンドセット装置を利用すれば、ＰＨＳカードで音声通話も可能になるので、両方の契約をしなくても済むという効果も有している。
【００１１】
また、第４には、前記第１又は２又は３の構成のハンドセット装置において、前記通信手段が、Ｂｌｕｅｔｏｏｔｈプロトコルによる無線通信手段であることを特徴とする。
【００１２】
この第４の構成のハンドセット装置においては、情報機器との間で通信を行う通信手段がＢｌｕｅｔｏｏｔｈプロトコルによる無線通信手段であるため、安価で低電力な通信により情報機器との無線接続が可能になり、情報機器をカバンに入れた状態での通話が可能になるなど利便性が向上する。
【００１３】
また、第５には、前記第１又は２又は３又は４の構成のハンドセット装置において、前記機能拡張カードのインターフェース規格が、ＣＦＩ／Ｏカード規格であることを特徴とする。
【００１４】
また、第６には、前記第１又は２又は３又は４の構成のハンドセット装置において、前記機能拡張カードのインターフェース規格が、ＳＤＩ／Ｏカード規格であることを特徴とする。
【００１５】
また、第７には、前記第１又は２又は３又は４の構成のハンドセット装置において、前記機能拡張カードのインターフェース規格が、メモリースティックＩ／Ｏカード規格であることを特徴とする。
【００１６】
また、第８には、前記第３又は４又は５又は６又は７の構成のハンドセット装置において、前記ＰＨＳカードを装着することにより、単独で公衆電話回線による音声通話が可能であることを特徴とする。
【００１７】
この第８の構成のハンドセット装置においては、前記機能拡張カードを装着することにより、単独で公衆電話回線による音声通話が可能であるため、情報機器に接続することなく公衆電話回線音声端末として、通常の携帯電話と同様な使用が可能になる。
【００１８】
また、第９には、前記第１又は２又は３又は４又は５又は６又は７又は８の構成のハンドセット装置において、前記通信手段によって情報機器との通信を行うことにより、前記情報機器が他の情報機器と行うインターネット電話における音声端末として機能することを特徴とする。
【００１９】
この第９の構成のハンドセット装置においては、前記通信手段によって情報機器との通信を行うことにより、前記情報機器が他の情報機器と行うインターネット電話における音声端末として機能するため、前記機能拡張カードを装着していない場合であっても、インターネット電話端末のハンドセット装置としての使用が可能になる。
【００２０】
また、第１０には、前記第１又は２又は３又は４又は５又は６又は７又は８又は９の構成のハンドセット装置において、前記ＰＨＳカードを装着するとともに、前記通信手段によって情報機器との通信を行うことにより、前記情報機器に無線モデム機能の付加を可能にすべくなしたことを特徴とする。
【００２１】
この第１０の構成のハンドセット装置においては、前記ＰＨＳカードを装着するとともに、前記通信手段によって情報機器との通信を行うことにより、前記情報機器に無線モデム機能の付加を可能にすべくなされているため、公衆回線モデムターミナルとして機能することが可能になる。
【００２２】
また、第１１には、前記第１又は２又は３又は４又は５又は６又は７又は８又は９又は１０の構成のハンドセット装置において、前記電源部には、取り替え可能な１つ又は複数のバッテリーを接続することを特徴とする。
【００２３】
この第１１の構成のハンドセット装置においては、前記電源部には、取り替え可能な１つ又は複数のバッテリーを接続するため、前記機能拡張カードに当該ハンドセット装置側から電力を供給することが可能になるため、システムの継続使用時間を増加させることが可能になる。
【００２４】
また、第１２には、前記第１１の構成のハンドセット装置において、前記電源部は、外部ＡＣ電源から電力を得ることが可能になされていることを特徴とする。
【００２５】
また、第１３には、前記第１２の構成のハンドセット装置において、前記電源部は、外部ＡＣ電源から得た電力を蓄えることができることを特徴とする。
【００２６】
この第１２又は１３の構成のハンドセット装置においては、外部ＡＣ電源から電力を得ることが可能になされているため、当該ハンドセット装置を外部ＡＣ電源に接続して固定しておけば、当該ハンドセット装置との通信が可能なエリアであれば、公衆回線通信端末としての電力負担が無い状態で当該情報機器を携帯移動端末として使用することができる。そのため、大幅に情報機器側の継続使用時間を増加させることが可能になる。
【００２７】
また、第１４には、前記第１１又は１２又は１３の構成のハンドセット装置において、前記バッテリー又は前記外部ＡＣ電源より蓄えた電力の残量を表示する電池残量表示手段を有することを特徴とする。
【００２８】
この第１４の構成のハンドセット装置においては、前記バッテリー又は前記外部ＡＣ電源より蓄えた電力の残量を表示する電池残量表示手段を有しているため、該電池残量表示手段を確認することにより、例えば、公衆回線接続中に電力の残量が無くなってしまい、途中で回線が切れてしまうような不具合を回避することができる。
【００２９】
【発明の実施の形態】
本発明の実施の形態としての実施例を、図面を利用して以下に説明する。本発明の実施例に基づくハンドセット装置であるワイヤレスハンドセット１１０は、図１に示すように、携帯端末型の情報機器であるＰＤＡ１００とワイヤレスハンドセット１１０とを接続する無線通信方式（無線通信手段）にＢｌｕｅｔｏｏｔｈ（登録商標）、該ワイヤレスハンドセット１１０がサポートするＰＨＳカード１３０（機能拡張カード）にＣＦＩ／Ｏカード（ＣＦ＋カード）を使用している。なお、具体的な使用態様については後述する。
【００３０】
ここで、前記ＰＤＡ１００が前記ワイヤレスハンドセット１１０とＢｌｕｅｔｏｏｔｈを使用して通信するためにはＰＤＡ１００もＢｌｕｅｔｏｏｔｈをサポートしている必要がある。Ｂｌｕｅｔｏｏｔｈを標準でサポートしているＰＤＡであれば問題ないが、サポートしていない場合には前記ＰＤＡ１００の拡張スロットに市販のＢｌｕｅｔｏｏｔｈカードを挿入し、Ｂｌｕｅｔｏｏｔｈを使用できるようにしてやる必要がある。この場合Ｂｌｕｅｔｏｏｔｈカードは消費する電力を当該ＰＤＡ１００から得るがＢｌｕｅｔｏｏｔｈカードは消費電力が少ないタイプのカードであるので直接消費電力が多いタイプのカードをＰＤＡ１００に接続する場合と比べて実質的に問題は起きない。
【００３１】
前記ワイヤレスハンドセット１１０には、図２に示すように、独自に電力を取得するための電源部１１６が備えられている。該電源部１１６には１つまたは複数の電池または外部ＡＣ電源モジュールが接続される。外部ＡＣ電源を使用する場合には一般供給されるＡＣ電源から専用のＡＣアダプタを使用して電力を取得する必要がある。また、電池としては外部ＡＣ電源により充電可能な電池を使用することも可能である。そして、該電源部１１６からの電力は前記ワイヤレスハンドセット１１０、及びワイヤレスハンドセット１１０のＣＦＩ／Ｆカードスロット１２６に挿入されるＣＦ−ＰＨＳカード１３０に送られる。
【００３２】
次に、前記ワイヤレスハンドセット１１０の内部モジュールについて図３及び図４を基に説明する。まず、ＤＣ／ＤＣコンバータ１１４は、電力を内部動作用（Ｂｌｕｅｔｏｏｔｈモジュール１２１、シリアル通信コントローラ１２２、マイクロコンピュータ１２３、スイッチモジュール１１１、電池残量表示用ＬＥＤ１１２、電源コントロールマイクロコンピュータ１１３、及びバッファ＆レベルシフトＩＣモジュール１２５などの一部）に送る。ＤＣ／ＤＣコンバータ１１５は前記電力をバッファ＆レベルシフトＩＣモジュール１２５の残りの部分、ＣＦＩ／Ｆカードスロット１２６、及びＣＦ−ＰＨＳカード１３０に送る。なお、ＤＣ／ＤＣコンバータ１１５は、ＣＦ−ＰＨＳカード１３０の動作電圧に合わせ出力電圧がコントロールできるものである。
【００３３】
スイッチモジュール１１１は、パワースイッチおよびリセットスイッチを保持し、ユーザの行うパワースイッチのＯＮ／ＯＦＦ切り替えに対応して電源コントロールマイクロコンピュータ１１３に前記ワイヤレスハンドセット１１０の立ち上げおよびシャットダウンの指示を出す電源スイッチ１１１ａ、前記ＣＦ−ＰＨＳカード１３０を起動するＰＨＳ起動スイッチ１１１ｂ、Ｂｌｕｅｔｏｏｔｈモジュール１２１を起動するＢｌｕｅｔｏｏｔｈ起動スイッチ１１１ｃ、及び前記ＣＦ−ＰＨＳカード１３０及びＢｌｕｅｔｏｏｔｈモジュール１２１の両方を起動するＰＨＳ及びＢｌｕｅｔｏｏｔｈ起動スイッチ１１１ｄを有している。
【００３４】
そして、ユーザが前記電源スイッチ１１１ａを押した場合、前記電源コントロールマイクロコンピュータ１１３にハードリセットの指示が出される。電源コントロールマイクロコンピュータ１１３は、前記電源部１１６で使用する電源が電池であるか外部ＡＣ電源であるかを見分けるとともに、もし使用電源が電池であるならばその電池残量を監視し、当該残量にしたがって電池残量表示用ＬＥＤ１１２の表示方法を変える。また、前記マイクロコンピュータ１２３に必要な情報を通信する。このように、電池残量表示用ＬＥＤ１１２を有しているため、該電池残量表示用ＬＥＤ１１２を確認することにより、例えば、インターネット接続中に電力の残量が無くなってしまい、途中で回線が切れてしまうような不具合を回避することができる。なお、前記電池残量表示用ＬＥＤ１１２への表示に代えて、ディスプレイモジュール１７０に電池残量を表示するようにしてもよい。
【００３５】
前記Ｂｌｕｅｔｏｏｔｈモジュール１２１は、モジュール内に接続されたアンテナを介して前記ＰＤＡ１００から送られたデータを受け取り、当該データをＢｌｕｅｔｏｏｔｈの上位層プロトコルへの接続インターフェースとして規定されるＨＣＩ（Ｈｏｓｔ  Ｃｏｎｔｒｏｌ  Ｉｎｔｅｒｆａｃｅ）を介してシリアル通信コントローラ１２２に送る。また、この逆の操作も行う。当該Ｂｌｕｅｔｏｏｔｈモジュール１２１ではＢｌｕｅｔｏｏｔｈの下位層プロトコルにしたがって通信制御が行われる。なお、Ｂｌｕｅｔｏｏｔｈプロトコルであるため、所謂「プラグアンドプレイ」を行うことができＰＤＡ１００側のシステムへの組み込みや設定を自動的に行うことができる利点も有している。
【００３６】
ここで、ＨＣＩはＢｌｕｅｔｏｏｔｈ接続インターフェースとして外部接続の手段として提供されるもので、物理層の上に実装される論理的なインターフェースであり、Ｂｌｕｅｔｏｏｔｈモジュールを外部から操作するための手段を提供するものである。当該インターフェースは、無線特有の高精度のタイミング処理を意識することなく扱えるインターフェースとなっている。
【００３７】
前記シリアル通信コントローラ１２２は、Ｂｌｕｅｔｏｏｔｈモジュール１２１からＨＣＩを介してＰＤＡから送られたデータを受け取り、マイクロコンピュータ１２３に送る。また、この逆も行う。そして、該シリアル通信コントローラ１２２においてはＢｌｕｅｔｏｏｔｈの上位層プロトコルを制御する。
【００３８】
前記マイクロコンピュータ１２３は、シリアルインターフェースであるＨＣＩから受け取ったデータを最終的にパラレルインターフェースであるＣＦＩ／Ｆを通してＣＦ−ＰＨＳカード１３０に渡すためにシリアル／パラレル変換を行い、ＣＦＩ／Ｏインターフェース１２４に渡す。また、この逆も行う。
【００３９】
また、前記マイクロコンピュータ１２３は、電源スイッチ１１１ａを入れるか電源スイッチ１１１ａが既に入った状態でリセットスイッチが押されると、電源コントロールマイクロコンピュータ１１３から指示を受け、前記ワイヤレスハンドセット１１０の立ち上げ処理を行う。
【００４０】
また、前記マイクロコンピュータ１２３は、前記シリアル通信コントローラ１２２から通信データが受信されているかをチェックする。そして、通信データが受信されていれば、シリアルデータである当該通信データを最終的にＣＦ−ＰＨＳカード１３０へ送るためにパラレルデータに変換し、ＣＦＩ／Ｏインターフェース１２４に渡される。
【００４１】
また、シリアル通信コントローラ１２２から通信データを受信していなければ、ＣＦＩ／Ｏインターフェース１２４から通信データを受信しているかどうかを確認し、受信されていればＣＦＩ／Ｏ規格で受信されデコードされたパラレルデータを、Ｂｌｕｅｔｏｏｔｈプロトコルで送信するためシリアルデータに変換し、前記シリアル通信コントローラ１２２に送られる。そして、前記マイクロコンピュータ１２３は、前記シリアル通信コントローラ１２２及びＣＦＩ／Ｏインターフェース１２４からのデータ受信を常時監視する。
【００４２】
前記ＣＦＩ／Ｏインターフェース１２４は、パラレルデータに変換された前記データをマイクロコンピュータ１２３より受け取り、当該データをＣＦ−ＰＨＳカード１３０に送るための信号送受信に関するタイミングの制御および信号のエンコード／デコードを行う。また、ＣＦ−ＰＨＳカード１３０側から送られたデータをＰＤＡ１００に送るためにも同様に信号送受信に関するタイミングの制御および信号のエンコード／デコードを行う。
【００４３】
前記ＣＦＩ／Ｏスロット１２６は、図２に示すように、ＣＦＩ／Ｏ（ＣＦ＋）規格に基づいたスロット形状になされており、前記ＣＦ−ＰＨＳカード１３０が挿入されることによりＣＦ−ＰＨＳカード１３０のコネクタ部とＣＦＩ／Ｏスロット１２６のコネクタ部が結合し、カード側とスロット側の各信号線がそれぞれ接続される。
【００４４】
また、前記ワイヤレスハンドセット１１０は、３．３ボルトおよび５ボルトの電圧のＣＦ−ＰＨＳカード１３０をサポートするので、図３に示すように、バッファ＆レベルシフトＩＣモジュール１２５では挿入されたＣＦ−ＰＨＳカード１３０のサポート電圧を認識し、それに従いＣＦＩ／Ｏスロット１２６の電圧を変化させる。また、該バッファ＆レベルシフトＩＣモジュール１２５ではバッファも備えており、前記ＣＦＩ／Ｏスロット１２６を介してＣＦ−ＰＨＳカード１３０に送られるデータおよび当該ＣＦＩ／Ｏスロット１２６を介してＣＦ−ＰＨＳカード１３０から送られてきたデータを一時退避する。
【００４５】
次に、前記ＰＤＡ１００において前記ワイヤレスハンドセット１１０を介して前記ＣＦ−ＰＨＳカード１３０を使用する場合の通信データの流れを説明する。なお、前記ＰＤＡ１１０には前記ワイヤレスハンドセット１１０に挿入するＣＦ−ＰＨＳカード１３０に対応したデバイスドライバが事前にインストールされなければならない。
【００４６】
前記デバイスドライバは、前記ＣＦ−ＰＨＳカード１３０を制御するためのソフトウェアであり、ＰＤＡ１００上のアプリケーションに対しユーザが出した指示をＣＦ−ＰＨＳカード１３０が認識できる形の命令に置き換えてＣＦ−ＰＨＳカード１３０に対し命令を送信する。また、ワイヤレスハンドセット１１０から受け取ったデータを前記アプリケーションが解釈できる形に変換しこれを渡す。
【００４７】
基本的なデータの流れは、ＰＤＡ１００から発せられたデータに関する場合、図３及び図４に示すように、Ｂｌｕｅｔｏｏｔｈモジュール１２１、シリアル通信コントローラ１２２、マイクロコンピュータ１２３、ＣＦ−Ｉ／Ｏインターフェース１２４、バッファ＆レベルシフトＩＣモジュール１２５、ＣＦ−Ｉ／Ｆカードスロット１２６、ＣＦ−ＰＨＳカード１３０の順に送信されそれぞれの通信階層に対応したプロトコル変換が行われる。また、ＣＦ−ＰＨＳカード１３０から送られるデータに関しては、この逆の経路を通る。
【００４８】
また、前記ワイヤレスハンドセット１１０は、さらにマイクロフォン１４０、スピーカー１５０、音声コーデック１６０、ディスプレイモジュール１７０、ダイヤルモジュール（ダイヤル手段）１８０を有している。前記マイクロフォン１４０及びスピーカー１５０は、音声ＣＯＤＥＣ１６０を介してマイクロコンピュータ１２３に接続され、また、ディスプレイモジュール１７０、ダイヤルモジュール１８０も、それぞれマイクロコンピュータ１２３に接続される。
【００４９】
前記音声コーデック１６０は、前記マイクロフォン１４０からの音声信号を電波で伝送できる信号に変調するとともに、電波信号から音声信号に復調して前記スピーカー１５０から音声出力することを可能としている。
【００５０】
前記ディスプレイモジュール１７０は、液晶ディスプレイユニットとその制御装置などから構成されており、前記マイクロコンピュータ１２３からの指令に基づいて、所定の文字や画像を液晶ディスプレイに表示する。
【００５１】
前記ダイヤルモジュール１８０は、一つのダイヤルを「回す」、「押す」の二つの操作によって、電話番号などを指定し、或いは一覧から選択して特定することができる所謂「ジョグダイヤル方式」になされている。また、「フック」操作も可能となっているとともに、メール文字などを入力する文字入力機能や、音量設定や輝度設定などの基本設定なども操作可能となっている。
【００５２】
次に、本実施例による前記ワイヤレスハンドセット１１０の使用状態について説明する。まず、前記ワイヤレスハンドセット１１０が単独でＰＨＳ公衆電話回線による音声通話が可能なＰＨＳ音声端末としての使用態様を説明する。この場合、図５に示すように、前記ワイヤレスハンドセット１１０には、ＣＦ−ＰＨＳカード１３０が装着された状態とし、ＰＨＳ起動スイッチ１１１ｂを押して前記ＣＦ−ＰＨＳカード１３０を起動する。
【００５３】
そして、前記ワイヤレスハンドセット１１０側から発信する場合には、前記ＣＦ−ＰＨＳカード１３０を起動した状態から、前記ダイヤルモジュール１８０のダイヤルを押して回す操作を行うことにより、前記ディスプレイモジュール１７０の液晶ディスプレイに表示された相手先の携帯電話２００の携帯番号をアドレス一覧から選択するか、直接相手先の携帯電話２００の携帯番号を入力する。これにより、携帯電話２００の呼出しが行われ、携帯電話２００が応じれば前記マイクロフォン１４０及びスピーカー１５０を用いてＰＨＳ音声通話を行うことが可能になる。
【００５４】
また、前記携帯電話２００側から発信された場合には、前記ワイヤレスハンドセット１１０側に所謂「着メロ」といわれる呼出しの音楽や、振動による呼出しが行われる。そのため、前記ワイヤレスハンドセット１１０の前記ダイヤルモジュール１８０によってフック操作を行って応答することにより、前記携帯電話２００と前記ワイヤレスハンドセット１１０とが、前記携帯電話２００からの発信によるＰＨＳ音声通話を行うことが可能になる。
【００５５】
以上のように、本実施例によるワイヤレスハンドセット１１０は、前記ＣＦ−ＰＨＳカード１３０を装着することにより、単独でＰＨＳ公衆電話回線による音声通話が可能であるため、情報機器に接続することなくＰＨＳ電話端末として、通常の携帯電話と同様な使用が可能になる。
【００５６】
次に、前記ワイヤレスハンドセット１１０が、インターネット電話における音声端末として機能する使用態様を説明する。この場合、前記ＣＦ−ＰＨＳカードは使用しないため、図６に示すように、前記ワイヤレスハンドセット１１０に前記ＣＦ−ＰＨＳカード１３０が装着されていなくてもよい。そして、Ｂｌｕｅｔｏｏｔｈ起動スイッチ１１１ｃを押して前記Ｂｌｕｅｔｏｏｔｈモジュール１２１を起動する。
【００５７】
また、図６に示すように、ＢｌｕｅｔｏｏｔｈをサポートしているＰＣ（パーソナルコンピュータ）３００と固定型の一般的な電話機である電話機３５０は、アクセスポイント、インターネット網、電話会社の電話交換機を介して接続可能になされている。
【００５８】
そして、前記ワイヤレスハンドセット１１０側から発信する場合には、前記Ｂｌｕｅｔｏｏｔｈモジュール１２１を起動した状態から、前記ダイヤルモジュール１８０のダイヤルを押して回す操作を行うことにより、前記ディスプレイモジュール１７０の液晶ディスプレイに表示された相手先の電話機３５０の電話番号をアドレス一覧から選択するか、直接相手先の電話機３５０の電話番号を入力する。これにより、前記ワイヤレスハンドセット１１０から前記Ｂｌｕｅｔｏｏｔｈモジュール１２１によってＰＣ３００とＢｌｕｅｔｏｏｔｈプロトコルによる通信が行われ、さらにＰＣ３００からは所定のアプリケーションによってアクセスポイント、インターネット網、電話会社の電話交換機を介して電話機３５０の呼出しが行われ、電話機３５０が応じれば前記マイクロフォン１４０及びスピーカー１５０を用いてインターネット電話による音声通話を行うことが可能になる。
【００５９】
また、前記電話機３５０側から発信された場合には、上記の逆の経路によって前記ワイヤレスハンドセット１１０側に所謂「着メロ」といわれる呼出しの音楽や、振動による呼出しが行われる。そのため、前記ワイヤレスハンドセット１１０の前記ダイヤルモジュール１８０によってフック操作を行って応答することにより、前記電話機３５０と前記ワイヤレスハンドセット１１０とが、前記電話機３５０からの発信によるＰＨＳ音声通話を行うことが可能になる。
【００６０】
以上のように、本実施例によるワイヤレスハンドセット１１０は、前記Ｂｌｕｅｔｏｏｔｈモジュール１２１によってＰＣ３００との通信を行うことにより、前記ＰＣ３００が公衆電話回線に接続された一般電話機やインターネット網に接続された他のＰＣなどと行うインターネット電話における音声端末として機能するため、前記ＣＦ−ＰＨＳカード１３０を装着していない場合であっても、インターネット電話端末のハンドセット装置としての使用が可能になる。
【００６１】
また、ワイヤレスハンドセット１１０にＶｏＩＰ（Ｖｏｉｃｅ  ｏｖｅｒ  ＩＰ）のエンジンを内蔵するものとすれば、前記ＰＣ３００を経由しなくても、本ワイヤレスハンドセット１１０単独でインターネット電話を行うことが可能である。
【００６２】
また、前記ＰＣ３００との間で通信を行う通信手段がＢｌｕｅｔｏｏｔｈプロトコルによる無線通信手段であるため、安価で低電力な通信によりＰＣ３００との無線接続が可能になり、有線接続の場合のようにケーブルを気にすることなく離れた位置で使用でき、またＰＣ３００がノートタイプやＰＤＡ等の携帯端末である場合にはＰＣ３００をカバンに入れた状態でのインターネット電話が可能になるなど利便性が向上する。
【００６３】
次に、前記ワイヤレスハンドセット１１０が、前記Ｂｌｕｅｔｏｏｔｈモジュール１２１によって他の情報機器である前記ＰＤＡ１００との通信を行うことにより、前記ＰＤＡ１００に無線モデム機能を付加するＰＨＳ回線モデムターミナルとしての使用態様を説明する。この場合、図１に示すように、前記ワイヤレスハンドセット１１０には、ＣＦ−ＰＨＳカード１３０が装着された状態とし、ＰＨＳ及びＢｌｕｅｔｏｏｔｈ起動スイッチ１１１ｄを押して前記ＣＦ−ＰＨＳカード１３０及びＢｌｕｅｔｏｏｔｈモジュール１２１の両方を起動する。そのため、前記ワイヤレスハンドセット１１０と前記ＰＤＡ１００は、Ｂｌｕｅｔｏｏｔｈモジュール１２１とＰＤＡ側のＢｌｕｅｔｏｏｔｈモジュールによってデータ通信可能な状態となる。
【００６４】
そして、前記ＣＦ−ＰＨＳカード１３０及びＢｌｕｅｔｏｏｔｈモジュール１２１を起動した状態から、前記ＰＤＡ１００の無線モデムドライバによってＰＨＳ公衆回線を通じて所定のアクセスポイントへ発信が行われ、パスワード、ＩＤナンバーの入力によりインターネット網に接続される。これにより、前記ワイヤレスハンドセット１１０は、ＰＨＳ回線モデムターミナルとして機能する。
【００６５】
また、前記ＰＤＡ１００とは別個の電源部１１６を有するワイヤレスハンドセット１１０側をＰＨＳ回線通信端末としているため、ＰＤＡ１００側が電力を多く使用するＰＨＳ回線通信端末とならないため、ＰＤＡ１００側の使用電力を削減することができ、携帯端末システムとしてのＰＤＡ１００の使用継続時間を大幅に増やすことが可能となる。
【００６６】
また、前記ＰＤＡ１００との間で通信を行う通信手段がＢｌｕｅｔｏｏｔｈプロトコルによる無線通信手段であるため、安価で低電力な通信によりＰＤＡ１００との無線接続が可能になり、有線接続の場合のようにケーブルを気にすることなく離れた位置で使用でき、またワイヤレスハンドセット１１０をカバンに入れた状態でのインターネット接続が可能になるなど利便性が向上する。
【００６７】
また、前記ワイヤレスハンドセット１１０にメール着信を受けられるように機能させることも可能である。つまり、メールサーバーを定期的にチェックし、メールが着信していれば着信アラームを鳴らすか、前記ディスプレイモジュール１７０に表示することにより、ユーザーにメールの着信を報知するようにする。これにより、ユーザーがメールの着信を確認すれば、前記ＰＤＡ１００を起動して前記ＰＤＡ１００側でメールを受信することができる。
【００６８】
なお、本実施例においては、ＰＤＡ１００とワイヤレスハンドセット１１０を接続する無線通信方式はＢｌｕｅｔｏｏｔｈであったが、本発明はこれに限ったものではない、現在存在する他の無線通信方式や将来開発される無線通信方式を使用しても同様な効果を得ることができる。また、ワイヤレスハンドセット１１０がサポートするＣＦ−ＰＨＳカード１３０の規格はＣＦＩ／Ｏであったが、本発明はこれに限ったものではない。例えば、図７の他の適用例を示す説明図に示すように、ＳＤＩ／Ｏ規格に基づいたＳＤ−ＰＨＳカード１１３０として、ＳＤＩ／Ｆカードスロット１１２６に装着するようにしてもよい。或いは、メモリースティックＩ／Ｏカード規格に基づいたものであってもよい。
【００６９】
また、ＰＨＳカード以外の通信カードとしては、ＦＯＭＡ、ＤｏＰａ等の規格に対応したものが考えられ、またその他の通信カードであってもよい。また、ＰＨＳカード以外にもＧＰＳカードやメモリーカードなど他の機能拡張カードを装着するようにしてもよい。
【００７０】
また、本実施例のワイヤレスハンドセット１１０は、特定の電話局番を指定可能なダイヤル手段としてジョグダイヤル方式のダイヤルモジュール１８０としているが、それのみに限定されるものではなく、図７に示すように、「数字ボタン」、「フックボタン」などが個別に設定されている一般的なプッシュ式のプッシュダイヤル１１８０としてもよい。
【００７１】
【発明の効果】
本発明の請求項１に基づくハンドセット装置によれば、スピーカーとマイクロフォンを有し音声通話が可能になされたハンドセット装置であって、情報機器との間で通信可能な通信手段と、機能拡張カードを挿入および接続可能な機能拡張カードスロット部と、挿入した機能拡張カードを制御する機能拡張カード制御手段と、当該ハンドセット装置及び前記機能拡張カードに電力を供給する電源部とを有しているため、情報機器側が電力を多く使用するものとならないため情報機器側の使用電力を削減することができ、システムの使用継続時間を大幅に増やすことが可能となるとともに、外部カードアダプタ、インターネット電話音声端末として多様に機能可能なハンドセット装置とすることができる。
【００７２】
また、特に、請求項２に基づくハンドセット装置によれば、特定の電話局番を指定可能なダイヤル手段を有しているため、特定の電話局番を容易に指定して発信することが可能となる。
【００７３】
また、特に、請求項３に基づくハンドセット装置によれば、前記機能拡張カードが、ＰＨＳカードであるため、さらにＰＨＳ電話音声端末、及びＰＨＳ回線モデムターミナルとして機能することが可能になる。また、現状では、モバイルで通信環境を構築する為には、携帯電話の他に通信カードの契約をしなければならないが、本構成によるハンドセット装置を利用すれば、ＰＨＳカードで音声通話も可能になるので、両方の契約をしなくても済むという効果も有している。
【００７４】
また、特に、請求項４に基づくハンドセット装置によれば、情報機器との間で通信を行う通信手段がＢｌｕｅｔｏｏｔｈプロトコルによる無線通信手段であるため、安価で低電力な通信により情報機器との無線接続が可能になり、情報機器をカバンに入れた状態での通話が可能になるなど利便性が向上する。
【００７５】
また、特に、請求項８に基づくハンドセット装置によれば、前記機能拡張カードを装着することにより、単独で公衆電話回線による音声通話が可能であるため、情報機器に接続することなく公衆電話回線音声端末として、通常の携帯電話と同様な使用が可能になる。
【００７６】
また、特に、請求項９に基づくハンドセット装置によれば、前記通信手段によって情報機器との通信を行うことにより、前記情報機器が他の情報機器と行うインターネット電話における音声端末として機能するため、前記機能拡張カードを装着していない場合であっても、インターネット電話端末のハンドセット装置としての使用が可能になる。
【００７７】
また、特に、請求項１０に基づくハンドセット装置によれば、前記ＰＨＳカードを装着するとともに、前記通信手段によって情報機器との通信を行うことにより、前記情報機器に無線モデム機能の付加を可能にすべくなされているため、公衆回線モデムターミナルとして機能することが可能になる。
【００７８】
また、特に、請求項１１に基づくハンドセット装置によれば、前記電源部には、取り替え可能な１つ又は複数のバッテリーを接続するため、前記機能拡張カードに当該ハンドセット装置側から電力を供給することが可能になるため、システムの継続使用時間を増加させることが可能になる。
【００７９】
また、特に、請求項１２又は１３に基づくハンドセット装置によれば、外部ＡＣ電源から電力を得ることが可能になされているため、当該ハンドセット装置を外部ＡＣ電源に接続して固定しておけば、当該ハンドセット装置との通信が可能なエリアであれば、公衆回線通信端末としての電力負担が無い状態で当該情報機器を携帯移動端末として使用することができる。そのため、大幅に情報機器側の継続使用時間を増加させることが可能になる。
【００８０】
また、特に、請求項１４に基づくハンドセット装置によれば、前記バッテリー又は前記外部ＡＣ電源より蓄えた電力の残量を表示する電池残量表示手段を有しているため、該電池残量表示手段を確認することにより、例えば、公衆回線接続中に電力の残量が無くなってしまい、途中で回線が切れてしまうような不具合を回避することができる。
【図面の簡単な説明】
【図１】本発明の実施例に基づくハンドセット装置のＰＨＳ回線モデムターミナル機能を示す説明図である。
【図２】ＰＨＳカードスロット及び電源部の構造を示す説明図である。
【図３】本発明の実施例に基づくハンドセット装置の構成を示す斜視図である。
【図４】本発明の実施例に基づくハンドセット装置の機能ブロックを示す構成図である。
【図５】本発明の実施例に基づくハンドセット装置のＰＨＳ電話音声端末機能を示す説明図である。
【図６】本発明の実施例に基づくハンドセット装置のインターネット電話音声端末機能を示す説明図である。
【図７】本発明の他の実施態様を示す説明図である。
【符号の説明】
１００、２００、３００  情報機器
１１０、１１１０  ハンドセット装置
１１６  電源部
１２１  通信手段
１２６、１１２６  機能拡張カードスロット部
１４０  マイクロフォン
１５０  スピーカー
１８０、１１８０  ダイヤル手段
【図１】
2004248240.tif 000003
【図２】
2004248240.tif 000004
【図３】
2004248240.tif 000005
【図４】
2004248240.tif 000006
【図５】
2004248240.tif 000007
【図６】
2004248240.tif 000008
【図７】
2004248240.tif 000009